(57)【要約】【課題】  一つのコントローラで相異なる機器を選択して制御できるホームデバイスの制御方法及び装置を提供する。【解決手段】  本発明に係る一つのリモコンを用いた多数のホームデバイス制御方法は、リモコンで制御するデバイスをリクエストするリクエスト段階と、リクエストを許諾したデバイスが応答する応答段階、及びリモコンが前記リクエストを許諾したデバイスを制御する制御段階とを含む。コントローラで制御するデバイスを選定した後該当デバイスだけ制御できるようにすることによって、複数のデバイス中で制御する対象機器を容易く選択することができる。【選択図】      図２
2006238448.tif 000002
【特許請求の範囲】
【請求項１】
リモコンで複数のデバイスを制御するための方法において、
前記リモコンで制御するデバイスをリクエストするリクエスト段階と、  
前記リクエストを許諾したデバイスが応答する応答段階と、
前記リモコンが前記リクエストを許諾したデバイスを制御する制御段階とを含むことを特徴とするリモコンのデバイス制御方法。
【請求項２】
前記応答段階は、
前記リクエスト段階のリクエスト信号を受信する受信段階と、
前記リクエスト信号を受信したか否かを表示する段階と、
前記リクエストを許諾したデバイスが前記リモコンで応答する段階とを含むことを特徴とする請求項１に記載のリモコンのデバイス制御方法。
【請求項３】
前記制御段階は、
前記リクエストを許諾したデバイスから応答信号を受信する段階と、
前記応答信号を受信したか否かを表示する表示する段階と、
前記リクエストを許諾したデバイスを制御する段階とを含むことを特徴とする請求項１に記載のリモコンのデバイス制御方法。
【請求項４】
前記リクエスト信号を受信したか否かの表示は前記リクエスト信号を受信したデバイスのＬＥＤを点滅して表示することを特徴とする請求項２に記載のリモコンのデバイス制御方法。
【請求項５】
前記応答信号を受信したか否かの表示は前記リモコンのＬＥＤを点滅して表示させることを特徴とする請求項３に記載のリモコンのデバイス制御方法。
【請求項６】
前記リモコンは前記それぞれのデバイスに対してそれぞれ異なるキーコードで制御できるようにし、前記リモコンが前記デバイスを制御する時は前記リクエストを許諾したデバイスのキーコードに該当するキーデータを前記デバイスに伝送して制御することを特徴とする請求項１に記載のリモコンのデバイス制御方法。  
【請求項７】
制御するデバイスをリクエストするためのリクエストキーを含むキー入力部を備えたリモコンと、
前記リモコンの制御デバイスリクエスト信号を受信する時該当応答信号を送信するように構成された複数のデバイスとから構成して、前記リモコンのリクエスト信号に応答した該当デバイスを制御するように構成されることを特徴とするリモコンのデバイス制御装置。
【請求項８】
前記デバイスは、  
ＬＥＤをさらに含むように構成して前記リモコンからリクエスト信号を受信すれば前記ＬＥＤを点滅して前記リクエスト信号を受信したか否かを表示させることを特徴とする請求項７に記載のリモコンのデバイス制御装置。
【請求項９】
前記リモコンは、
ＬＥＤをさらに含むように構成して前記デバイスから応答信号を受信すれば前記ＬＥＤを点滅して前記応答信号を受信したか否かを表示させることを特徴とする請求項７に記載のリモコンのデバイス制御装置。
【請求項１０】
前記リモコンは前記それぞれのデバイスに対してそれぞれ異なるキーコードで制御できるようにし、前記リモコンが前記デバイスを制御する時は前記リクエストを許諾したデバイスのキーコードに該当するキーデータを前記デバイスに伝送して制御することを特徴とする請求項７に記載のリモコンのデバイス制御装置。  
【請求項１１】
複数個のデバイスを制御するためのリモコン装置において、
前記複数個のデバイスのうちいずれか一つが前記リモコンにより制御されるようにリクエスト信号を伝送する入力部を備え、前記リモコンのリクエスト信号を受信して応答信号を伝送したデバイスを前記リモコンが制御することを特徴とするリモコン装置。
【請求項１２】
前記リモコンは、
ＬＥＤをさらに含むように構成して前記デバイスから応答信号を受信すれば前記ＬＥＤを点滅して前記応答信号を受信したか否かを表示させることを特徴とする請求項１１に記載のリモコン装置。
【請求項１３】
前記それぞれのデバイスに対してそれぞれ異なるキーコードで制御できるようにし、前記リモコンが前記デバイスを制御する時は前記リクエストを許諾したデバイスのキーコードに該当するキーデータを前記デバイスに伝送して制御することを特徴とする請求項１１に記載のリモコン装置。
【請求項１４】
リモコンにより制御されるデバイスの制御装置において、
リクエスト信号を受信するデバイス間の両方向インタフェースと、
リモコンのリクエスト信号に応答信号を伝送するメッセージ通信同期化装置とを備え、応答信号はリモコンにより制御されるようにリクエストを受け入れることを表示することを特徴とするデバイス制御装置。
【請求項１５】
前記リモコンは、
ＬＥＤをさらに含むように構成して前記デバイスから応答信号を受信すれば前記ＬＥＤを点滅して前記応答信号を受信したか否かを表示させることを特徴とする請求項１４に記載のデバイス制御装置。
【請求項１６】
前記応答信号には該当デバイスのデバイス情報が含まれていることを特徴とする請求項１４に記載のデバイス制御装置。
【発明の詳細な説明】
【技術分野】
【０００１】
本発明はホームデバイスを制御する方法及び装置に係り、さらに詳しくは一つのリモコンで相異なるホーム機器を制御できる方法及び装置に関する。
【背景技術】
【０００２】
複数のホームデバイスを使用するホームネットワークシステムにおいてコントローラを用いて制御するホームデバイスがｎ個あるとすれば、これによりコントローラもｎ個があるべきである。この場合、ユーザは他種類のホームデバイスを制御する毎に該当ホームデバイスに適するコントローラを選択して制御すべきなので、ホームデバイスを制御するにあたって不便さを感じるようになる。また、ユーザは該当コントローラの作動法を一々身につけるべき不便を避けられなかった。
【０００３】
ホームデバイス別にコントローラが必要な理由は、既存のコントローラ方式が制御パルスコードをキーにマッピングさせた結果セットされたコントローラのキーは一つの制御コードだけを発生させるからである。また、このような問題点を解決するための発明であるグラフィックユーザインタフェース（ＧＵＩ）機能を有するスマートコントローラ（スマートリモコン、例えばＰｈｌｉｐｓ  ｉＰｒｏｎｔｏ）も一般のユーザが直観的認識により取り扱い難いとの問題点がある。また、スマートコントローラを通して特定の機能を行なうためには多数回の選択段階が必要なので、その作動が相変わらず不便であり長時間かかる問題点がある。
【０００４】
前述した問題点を解決するための従来の一実施形態が図１及び図２に示されている。
【０００５】
図１はホームデバイスを制御するためのシステムの概略的なブロック図であって、ホームデバイス制御システムはホームサーバ１０、コントローラ２０、サービス提供者４０、ホームデバイス３０を含む。ここで、ホームサーバ１０はホームデバイス３０にメディアソースを伝送し、ホームデバイス３０は伝送されたメディアソースを実行し、一方コントローラ２０はホームデバイス３０を制御するように構成されている。
【０００６】
特に、ホームサーバ１０は各デバイス別プロファイルをホームデバイス３０から伝送され、該当デバイスに対するキーデータをサービス提供者４０から受信して各デバイス別キーデータをマッピングしたコントローラキーマッピングテーブルを作成するように構成される。
【０００７】
また、コントローラ２０はホームサーバ１０からキーマッピングテーブルを受信し、ホームデバイス３０からは該当デバイス情報を受信され前記キーマッピングテーブルと前記デバイス情報を互いに結合して機器制御信号を生成するように構成されている。
【０００８】
前述した構成を用いて一つのコントローラを用いた多数のホームデバイスを制御するための過程が図２に示されている。
【０００９】
図２は一つのコントローラを用いた多数のホームデバイスを制御するためのメッセージシーケンスを示した図であって、まずコントローラ２０はホームサーバ１００にコントローラキーマッピングテーブルをリクエストすれば（Ｓ４０）、これにホームサーバ１０はコントローラ２０にコントローラキーマッピングテーブルを伝送する（Ｓ４２）。
【００１０】
コントローラ２０はホームデバイス３０にホームデバイス３０情報リクエストメッセージを伝送すれば（Ｓ４４）、これにホームデバイス３０はコントローラ２０にホームデバイス３０情報を伝送する（Ｓ４６）。その後コントローラ２０はホームデバイス３０から伝送された機器情報とホームサーバから伝送されたコントロールキーマッピングテーブルをマッチングする（Ｓ４８）。
【００１１】
その後、コントローラ２０はホームデバイス３０に機器制御信号を伝送することによって、ホームデバイス３０の動作を制御できるようになっている。
【発明の開示】
【発明が解決しようとする課題】
【００１２】
本発明の目的はリモコンを用いて実際ホームデバイスを制御できるようにするためのもので、一つのリモコンで宅内の色々の機器を制御する時、リモコンと制御する対象機器を選択して制御できる便利な方法及び装置を提供するところにある。
【課題を解決するための手段】
【００１３】
前述した目的を達成するための本発明の一実施形態による一つのリモコンを用いた多数のホームデバイス制御方法は、前記リモコンで制御するデバイスをリクエストするリクエスト段階と、前記リクエストを許諾したデバイスが応答する応答段階、及び前記リモコンが前記リクエストを許諾したデバイスを制御する制御段階とを含んでなされることを特徴とする。
【００１４】
前記応答段階は前記リクエスト段階のリクエスト信号を受信する受信段階と、前記リクエスト信号を受信したか否かを表示する段階、及び前記リクエストを許諾したデバイスが前記リモコンで応答する段階とを含んでなされるのが望ましい。
【００１５】
また、前記制御段階は、前記リクエストを許諾したデバイスから応答信号を受信する段階、前記応答信号を受信したか否かを表示する表示する段階、及び前記リクエストを許諾したデバイスを制御する段階とを含んでなされることがさらに望ましい。
【００１６】
前記リクエスト信号を受信したか否かの表示と前記応答信号を受信したか否かの表示は前記リモコンのＬＥＤを点滅して表示させ、前記リモコンは前記それぞれのデバイスに対してそれぞれ異なるキーコードで制御できるようにし、前記リモコンが前記デバイスを制御する時は前記リクエストを許諾したデバイスのキーコードに該当するキーデータを前記デバイスに伝送して制御するようにする。
【００１７】
また、前述したような目的を達成するための本発明の一実施形態による一つのリモコンを用いた多数のホームデバイス制御装置は、制御するデバイスをリクエストするためのリクエストキーを含んだキー入力部を備えたリモコンと前記リモコンの制御デバイスリクエスト信号の受信時該当応答信号を送信するように構成された複数のデバイスで構成して前記リモコンのリクエスト信号に応答した該当デバイスを制御するように構成される。
【００１８】
前記デバイスはＬＥＤをさらに含むように構成して、前記リモコンからリクエスト信号を受信すれば前記ＬＥＤを点滅して前記リクエスト信号を受信したか否かを表示させると同時に、前記リモコンもＬＥＤをさらに含むように構成して前記デバイスから応答信号を受信すれば前記ＬＥＤを点滅して前記応答信号を受信したか否かを表示させるのが望ましい。
【００１９】
前記リモコンは前記それぞれのデバイスに対してそれぞれ異なるキーコードで制御することができるようにし、前記リモコンが前記デバイスを制御する時は前記リクエストを許諾したデバイスのキーコードに該当するキーデータを前記デバイスに伝送して制御させることがさらに望ましい。
【発明の効果】
【００２０】
以上述べたように本発明に係る一つのコントローラで相異なる機器を選択して制御できるホームデバイス制御方法及び装置によれば、ホームネットワークシステム上で一つのコントローラにより制御する対象機器を容易く選択して制御することができる。従って、多数のコントローラを所持しなくてもよく、また多数のコントローラの使い方を身に付ける手間を不要にする。
【発明を実施するための最良の形態】
【００２１】
以下、添付した図面に基づいて本発明の好適な実施形態を詳述する。
【実施例１】
【００２２】
以下、添付した図面に基づき本発明の一実施形態について詳述する。
【００２３】
図３は一つのコントローラを用いた多数のホームデバイス制御動作を概略的に示した図である。
【００２４】
同図によれば、ホームデバイス制御装置は複数のホームデバイス２１０、２２０、２３０とホームデバイス２１０、２２０、２３０を制御するためのコントロールデバイス１００とから構成される。
【００２５】
ホームデバイス２１０、２２０、２３０は内部メモリ（図示せず）に該当デバイスに対する機器情報（製造メーカ、モデルなど）をそれぞれ貯蔵しており、またＬＥＤ２１２、２２１、２３２とメッセージを同期化させるためのメッセージ通信同期化部２１４、２２４、２３４及び両方向インタフェース２１６、２２６、２３６がそれぞれ内蔵されている。
【００２６】
メッセージ  通信同期化部２１４、２２４、２３４と両方向通信インタフェース２１６、２２６、２３６はコントロールデバイス１００とメッセージ通信同期化及びプロトコルを処理する機能を行なう。
【００２７】
前記ホームデバイス２１０、２２０、２３０は下記のコントロールデバイス１００からインタフェース２１６、２２６、２３６を通じて制御対象機器にリクエストされると、該当ＬＥＤを点滅し同期メッセージをコントロールデバイス１００に伝送し、再びコントロールデバイス１００から確認メッセージが応答されればメッセージ通信同期化部２１４、２２４、２３４でメッセージ通信同期化過程を経て前記該当デバイス機器情報と共に制御対象機器応答メッセージをコントロールデバイス１００に伝送する。その後、コントロールデバイス１００から伝送されるキーデータにより作動されている。
【００２８】
コントロールデバイス１００は内部メモリ（図示せず）にホームデバイス２１０、２２０、２３０のそれぞれに対する機器情報と前記機器情報別キーテーブル１１０、１２０、１３０を貯蔵している。前記機器情報とキー  テーブルは従来の技術のようにホームサーバ１０とサービス提供者４０から関連データを伝送され構成できるので、詳細な説明は省く。すなわち、コントロールデバイス１００は各機器に対する情報と各機器のキーテーブル１１０、１２０、１３０を既に貯蔵していることと説明する。
【００２９】
そして、コントロールデバイス１００は制御対象機器を選定するために該当ホームデバイス２１０、２２０、２３０に対して制御対象機器リクエストの可能な制御対象機器リクエストボタン１５０を含むキー入力部（図示せず）とＬＥＤ１４０を含んで構成される。
【００３０】
また、制御対象機器リクエストボタン１５０が入力されれば制御対象機器リクエストデータを制御しようとするホームデバイス２１０、２２０、２３０に伝送し、該当ホームデバイス２１０、２２０、２３０から同期メッセージを受信すればメッセージ通信同期化過程を経て確認メッセージを該当ホームデバイス２１０、２２０、２３０に伝送する。その後、ホームデバイス２１０、２２０、２３０から該当デバイス機器情報と共に制御対象機器応答メッセージを受信すれば、コントロールデバイス１００はＬＥＤ１４０を点滅して機器選定に対する作業が完了されたことを表示すると同時に、該当デバイスの機器情報を参照して前記機器情報によるキーデータをメモリで判読してキーデータを伝送することによって該当デバイスが作動されるよう制御する。
【００３１】
一方、本発明では該当デバイスを作動するために必要な少数のキーデータだけ保有していると良いので、キーテーブル１１０、１２０、１３０のデバイス別キーデータは互いに相違に構成する。すなわち、制御対象機器を複数で選定してキーデータを伝送しても最終選択されたデバイスだけ動作できるように互いにキーデータを相違にして伝送する。
【００３２】
以下、図面を参照してコントロールデバイス１００が該当ホームデバイスを選定する過程を詳述する。
【００３３】
図４は一つのコントローラを用いた多数のホームデバイス制御方法におけるメッセージシーケンスチャートを示した図である。本説明ではホームデバイス１（２１０）を制御対象機器で選定して制御する過程を説明する。
【００３４】
まず、制御対象機器リクエストボタン１５０が入力されれば、コントロールデバイス１００はホームデバイス１（２１０）に制御対象機器のリクエストを行なう（Ｓ３１０）。
【００３５】
段階Ｓ３１０において制御対象機器リクエストを受信したホームデバイス１（２１０）は制御対象機器になるためのメッセージを受信したとの表示でＬＥＤ２１２を点滅しつつ（Ｓ３１２）コントロールデバイス１００に同期メッセージを伝送する（Ｓ３１４）。
【００３６】
前記過程において同期メッセージを受信したコントロールデバイス１００（Ｓ３１６）はメッセージ通信同期化過程を経て（Ｓ３１６）確認メッセージをホームデバイス１（２１０）に伝送し（Ｓ３１８）、ホームデバイス１（２１０）はメッセージ通信同期化過程を経て（Ｓ３２０）ホームデバイス１の機器情報と共に制御対象機器応答メッセージをコントロールデバイス１００に伝送する（Ｓ３２２）。前記機器情報は製造メーカとモデル等を含むように構成する。
【００３７】
段階Ｓ３２２においてホームデバイス１の機器情報と共に制御対象機器応答メッセージを受信したコントロールデバイス１００はＬＥＤ１４０を点滅し（Ｓ３２４）、機器選定に対する作業が完了されたことを表示すると同時に、該当デバイスの機器情報を参照して前記機器情報によるキーデータ、すなわちデバイス１に対するキーデータ、をメモリで判読してキーデータを伝送することによって（Ｓ３２６）、ホームデバイス１（２１０）が作動されるよう制御する。
【００３８】
また、前述したように制御デバイスを設定する期間に他コントロールデバイスで受信される信号に応じて信号混線や誤動作する場合があるので、段階Ｓ３１４以降からは他コントロールデバイスから伝送される信号を無視し信号の混線を防止させることが望ましい。
【００３９】
前述したような過程を繰り返すとその他ホームデバイス２２０、２３０をそれぞれ制御することができる。
【００４０】
本発明では各ホームデバイスの機器情報（製造メーカ、モデルなど）別キーデータをコントロールデバイスに貯蔵しておきホームデバイスの機器情報を伝送されて該当キーテーブルを判読して制御することと説明して来たが、コントロールデバイスの前記キーテーブルをそれぞれのデバイス番号によって指定しておけばさらに簡単に制御することができる。すなわち、前記機器情報を使用せずそれぞれのデバイスをデバイス１、デバイス２、デバイスなどに区別すると同時に、コントロールデバイスにもデバイス１、２、３にマッチングされるキーテーブルを貯蔵して使用することができる。
【００４１】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【図面の簡単な説明】
【００４２】
【図１】ホームデバイスを制御するためのシステムの概略的なブロック図である。
【図２】従来の一つのコントローラを用いた多数のホームデバイスを制御するためのメッセージシーケンスを示した図である。
【図３】本発明に係る一つのコントローラを用いた多数のホームデバイス制御動作を概略的に示した図である。
【図４】本発明に係る一つのコントローラを用いた多数のホームデバイス制御方法におけるメッセージシーケンスチャートである。
【符号の説明】
【００４３】
１００                      コントロールデバイス
１１０、１２０、１３０      キーテーブル
１４０                      ＬＥＤ
１５０                      リクエストボタン
２１０、２２０、２３０      ホームデバイス
２１２、２２２、２３２      ＬＥＤ
２１４、２２４、２３４      メッセージ通信同期化部
２１６、２２６、２３６      Ｉ／Ｆ
【図１】
2006238448.tif 000003
【図２】
2006238448.tif 000004
【図３】
2006238448.tif 000005
【図４】
2006238448.tif 000006